【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  異なるベンダーから提供された複数のデータベースと、
データベース毎に定められているインターフェース手順に応じて各データベースにアクセスするアクセス手段と、
前記アクセス手段を介し、前記複数のデータベースを１つの共有データとしてネットワーク上で管理する手段と、
クライアント側および／またはサーバ側から送出されるアクセス要求に応じて前記共有データを更新する手段と、
クライアント側および／またはサーバ側の出力装置に前記共有データを出力する手段と
を具備したことを特徴とするデータベース管理システム。
【請求項２】  請求項１に記載のデータベース管理システムにおいて、
前記共有データの一部または全部を所定のファイル形式に変換する手段と、
変換した前記共有データを出力する手段と
を具備したことを特徴とするデータベース管理システム。
【請求項３】  少なくとも１つのデータベースを共有データとしてネットワーク上で管理し、
クライアント側および／またはサーバ側から送出されるアクセス要求に応じて前記共有データを更新し、
クライアント側および／またはサーバ側の出力装置に前記共有データを出力するデータベース管理システムを、ウェブブラウザ上またはＧＵＩアプリケーション上で統合開発するデータベース管理システムの開発システムであり、
前記データベースを操作するための命令文をウェブブラウザ上および／またはクライアントのシステム上でＧＵＩをベースに記述する手段と、
ＷＷＷページを記述するためのマークアップ言語をウェブブラウザ上および／またはクライアントのシステム上でＧＵＩをベースに記述する手段と、
スクリプトをウェブブラウザ上および／またはクライアントのシステム上でＧＵＩをベースに記述する手段と、
前記出力装置に前記共有データの一部または全部を出力する際のレイアウトをウェブブラウザ上および／またはクライアントのシステム上でＧＵＩをベースに操作指示する手段と
を具備したことを特徴とするデータベース管理システムの開発システム。
【請求項４】  請求項３に記載のデータベース管理システムの開発システムにおいて、
前記データベースを操作するための命令文とはクエリーであり、
前記マークアップ言語とは、ＨＴＭＬ、ＤＨＴＭＬ、および／またはＸＭＬであり、
前記スクリプトを記述するために汎用言語を用いることを特徴とするデータベース管理システムの開発システム。
【請求項５】  異なるベンダーから提供された複数のデータベース毎に定められているインターフェース手順に応じて各データベースにアクセスし、
前記複数のデータベースを１つの共有データとしてネットワーク上で管理し、
クライアント側および／またはサーバ側から送出されるアクセス要求に応じて前記共有データを更新し、
クライアント側および／またはサーバ側の出力装置に前記共有データを出力することを特徴とするデータベース管理方法。
【請求項６】  異なるベンダーから提供された複数のデータベース毎に定められているインターフェース手順に応じて各データベースにアクセスする第１の手順と、
前記複数のデータベースを１つの共有データとしてネットワーク上で管理する第２の手順と、
クライアント側および／またはサーバ側から送出されるアクセス要求に応じて前記共有データを更新する第３の手順と、
クライアント側および／またはサーバ側の出力装置に前記共有データを出力する第４の手順と
を実行するソフトウェアを蓄積したことを特徴とする電子媒体。
【請求項７】  請求項６に記載の電子媒体において、
前記共有データの一部または全部を所定のファイル形式に変換する第１の手順と、
変換した前記共有データを出力する第２の手順と
を実行するソフトウェアを蓄積したことを特徴とする電子媒体。
【請求項８】  少なくとも１つのデータベースを共有データとしてネットワーク上で管理し、
クライアント側および／またはサーバ側から送出されるアクセス要求に応じて前記共有データを更新し、
クライアント側および／またはサーバ側の出力装置に前記共有データを出力するデータベース管理システムを、ウェブブラウザ上またはＧＵＩアプリケーション上で統合開発するデータベース管理システムの開発ソフトウェアを蓄積した電子媒体であり、
前記データベースを操作するための命令文をウェブブラウザ上および／またはクライアントのシステム上でＧＵＩをベースに記述する第１の手順と、
ＷＷＷページを記述するためのマークアップ言語をウェブブラウザ上および／またはクライアントのシステム上でＧＵＩをベースに記述する第２の手順と、
スクリプトをウェブブラウザ上および／またはクライアントのシステム上でＧＵＩをベースに記述する第３の手順と、
前記出力装置に前記共有データの一部または全部を出力する際のレイアウトをウェブブラウザ上および／またはクライアントのシステム上でＧＵＩをベースに操作指示する第４の手順と
を実行するソフトウェアを蓄積したことを特徴とする電子媒体。
【請求項９】  請求項８に記載の電子媒体において、
前記データベースを操作するための命令文とはクエリーであり、
前記マークアップ言語とは、ＨＴＭＬ、ＤＨＴＭＬ、および／またはＸＭＬであり、
前記スクリプトを記述するために汎用言語を用いることを特徴とする電子媒体。
【請求項１０】  請求項１又は請求項２に記載のデータベース管理システムにおいて、
前記共有データを電子メールサーバ及び／又はプリントサーバ若しくはプリンタに出力する手段を具備したことを特徴とするデータベース管理システム。
【請求項１１】  請求項１、請求項２、又は請求項１０に記載のデータベース管理システムにおいて、
前記共有データの出力フォーマットを前記クライアントの端末種別に応じて自動変換する手段を具備したことを特徴とするデータベース管理システム。
【請求項１２】  請求項１、請求項２、請求項１０、又は請求項１１に記載のデータベース管理システムにおいて、
前記共有データに電子署名を施す手段を具備したことを特徴とするデータベース管理システム。
【請求項１３】  請求項１、請求項２、請求項１０、請求項１１、又は請求項１２に記載のデータベース管理システムにおいて、
前記共有データを暗号化する手段を具備したことを特徴とするデータベース管理システム。
【請求項１４】  請求項５に記載のデータベース管理方法において、
電子メールサーバ及び／又はプリントサーバ若しくはプリンタに前記共有データを出力することを特徴とするデータベース管理方法。
【請求項１５】  請求項５又は請求項１４に記載のデータベース管理方法において、
前記共有データの出力フォーマットを前記クライアントの端末種別に応じて自動変換することを特徴とするデータベース管理方法。
【請求項１６】  請求項５、請求項１４、又は請求項１５に記載のデータベース管理方法において、
前記共有データに電子署名を施すことを特徴とするデータベース管理方法。
【請求項１７】  請求項５、請求項１４、請求項１５、又は請求項１６に記載のデータベース管理方法において、
前記共有データを暗号化することを特徴とするデータベース管理方法。
【請求項１８】  請求項６又は請求項７に記載の電子媒体において、
前記共有データを電子メールサーバ及び／又はプリントサーバ若しくはプリンタに出力する手順を実行するソフトウェアを蓄積したことを特徴とする電子媒体。
【請求項１９】  請求項６、請求項７、又は請求項１８に記載の電子媒体において、
前記共有データの出力フォーマットを前記クライアントの端末種別に応じて自動変換する手順を実行するソフトウェアを蓄積したことを特徴とする電子媒体。
【請求項２０】  請求項６、請求項７、請求項１８、又は請求項１９に記載の電子媒体において、
前記共有データに電子署名を施す手順を実行するソフトウェアを蓄積したことを特徴とする電子媒体。
【請求項２１】  請求項６、請求項７、請求項１８、請求項１９、又は請求項２０に記載の電子媒体において、
前記共有データを暗号化する手順を実行するソフトウェアを蓄積したことを特徴とする電子媒体。
【請求項２２】  少なくとも１つのデータベースを共有データとしてネットワーク上で管理し、
クライアント側および／またはサーバ側から送出されるアクセス要求に応じて前記共有データを更新し、前記共有データの出力フォーマットをクライアントの端末種別に応じて自動変換し、
前記共有データに電子署名を施し、又は前記共有データを暗号化して電子メールサーバ及び／又はプリントサーバ若しくはプリンタに出力するデータベース管理システムを、ウェブブラウザ上またはＧＵＩアプリケーション上で統合開発するデータベース管理システムの開発システムであり、
前記データベースを操作するための命令文をウェブブラウザ上および／またはクライアントのシステム上でＧＵＩをベースに記述する手段と、
ＷＷＷページを記述するためのマークアップ言語をウェブブラウザ上および／またはクライアントのシステム上でＧＵＩをベースに記述する手段と、
スクリプトをウェブブラウザ上および／またはクライアントのシステム上でＧＵＩをベースに記述する手段と、
前記電子メールサーバ及び／又は前記プリントサーバ若しくはプリンタに前記共有データの一部または全部を出力する際のレイアウトを、ウェブブラウザ上および／またはクライアントのシステム上でＧＵＩをベースに操作指示する手段と
を具備したことを特徴とするデータベース管理システムの開発システム。
【請求項２３】  請求項２２に記載のデータベース管理システムの開発システムにおいて、
前記データベースを操作するための命令文とはクエリーであり、
前記スクリプトを記述するために汎用言語を用いることを特徴とするデータベース管理システムの開発システム。
【請求項２４】  少なくとも１つのデータベースを共有データとしてネットワーク上で管理し、
クライアント側および／またはサーバ側から送出されるアクセス要求に応じて前記共有データを更新し、前記共有データの出力フォーマットをクライアントの端末種別に応じて自動変換し、
前記共有データに電子署名を施し、又は前記共有データを暗号化して電子メールサーバ及び／又はプリントサーバ若しくはプリンタに出力するデータベース管理システムを、ウェブブラウザ上またはＧＵＩアプリケーション上で統合開発するデータベース管理システムの開発ソフトウェアを蓄積した電子媒体であり、
前記データベースを操作するための命令文をウェブブラウザ上および／またはクライアントのシステム上でＧＵＩをベースに記述する第１の手順と、
ＷＷＷページを記述するためのマークアップ言語をウェブブラウザ上および／またはクライアントのシステム上でＧＵＩをベースに記述する第２の手順と、
スクリプトをウェブブラウザ上および／またはクライアントのシステム上でＧＵＩをベースに記述する第３の手順と、
前記電子メールサーバ及び／又は前記プリントサーバ若しくはプリンタに前記共有データの一部または全部を出力する際のレイアウトを、ウェブブラウザ上および／またはクライアントのシステム上でＧＵＩをベースに操作指示する第４の手順とを実行するソフトウェアを蓄積したことを特徴とする電子媒体。
【請求項２５】  請求項２４に記載の電子媒体において、
前記データベースを操作するための命令文とはクエリーであり、
前記スクリプトを記述するために汎用言語を用いることを特徴とする電子媒体。
【手続補正２】
【補正対象書類名】明細書
【補正対象項目名】０００４
【補正方法】変更
【補正の内容】
【０００４】
【課題を解決するための手段】
本発明は上述の課題を解決するため、異なるベンダーから提供された複数のデータベースと、データベース毎に定められているインターフェース手順に応じて各データベースにアクセスするアクセス手段と、アクセス手段を介し複数のデータベースを１つの共有データとしてネットワーク上で管理する手段と、クライアント側および／またはサーバ側から送出されるアクセス要求に応じて共有データを更新する手段と、クライアント側および／またはサーバ側の出力装置に共有データを出力する手段とを具備したことを特徴とするデータベース管理システムを提供する。
上記データベース管理システムは、共有データの一部または全部を所定のファイル形式に変換する手段と、変換した共有データを出力する手段とを具備する。
【手続補正３】
【補正対象書類名】明細書
【補正対象項目名】０００５
【補正方法】変更
【補正の内容】
【０００５】
さらに、本発明は、少なくとも１つのデータベースを共有データとしてネットワーク上で管理し、クライアント側および／またはサーバ側から送出されるアクセス要求に応じて共有データを更新し、クライアント側および／またはサーバ側の出力装置に共有データを出力するデータベース管理システムを、ウェブブラウザ上またはＧＵＩアプリケーション上で統合開発するデータベース管理システムの開発システムであり、データベースを操作するための命令文をウェブブラウザ上および／またはクライアントのシステム上でＧＵＩをベースに記述する手段と、ＷＷＷページを記述するためのマークアップ言語をウェブブラウザ上および／またはクライアントのシステム上でＧＵＩをベースに記述する手段と、スクリプトをウェブブラウザ上および／またはクライアントのシステム上でＧＵＩをベースに記述する手段と、出力装置に共有データの一部または全部を出力する際のレイアウトをウェブブラウザ上および／またはクライアントのシステム上でＧＵＩをベースに操作指示する手段とを具備したことを特徴とするデータベース管理システムの開発システムを提供する。
上記データベース管理システムの開発システムのデータベースを操作するための命令文とはクエリーであり、マークアップ言語とは、ＨＴＭＬ、ＤＨＴＭＬ、および／またはＸＭＬであり、スクリプトを記述するために汎用言語を用いる。
【手続補正４】
【補正対象書類名】明細書
【補正対象項目名】０００７
【補正方法】変更
【補正の内容】
【０００７】
さらに、本発明は、異なるベンダーから提供された複数のデータベース毎に定められているインターフェース手順に応じて各データベースにアクセスする第１の手順と、複数のデータベースを１つの共有データとしてネットワーク上で管理する第２の手順と、クライアント側および／またはサーバ側から送出されるアクセス要求に応じて共有データを更新する第３の手順と、クライアント側および／またはサーバ側の出力装置に共有データを出力する第４の手順とを実行するソフトウェアを蓄積したことを特徴とする電子媒体を提供する。
上記電子媒体において、共有データの一部または全部を所定のファイル形式に変換する第１の手順と、変換した共有データを出力する第２の手順とを実行するソフトウェアを蓄積する。
【手続補正５】
【補正対象書類名】明細書
【補正対象項目名】０００８
【補正方法】変更
【補正の内容】
【０００８】
さらに、本発明は、少なくとも１つのデータベースを共有データとしてネットワーク上で管理し、クライアント側および／またはサーバ側から送出されるアクセス要求に応じて共有データを更新し、クライアント側および／またはサーバ側の出力装置に共有データを出力するデータベース管理システムを、ウェブブラウザ上またはＧＵＩアプリケーション上で統合開発するデータベース管理システムの開発ソフトウェアを蓄積した電子媒体であり、データベースを操作するための命令文をウェブブラウザ上および／またはクライアントのシステム上でＧＵＩをベースに記述する第１の手順と、ＷＷＷページを記述するためのマークアップ言語をウェブブラウザ上および／またはクライアントのシステム上でＧＵＩをベースに記述する第２の手順と、スクリプトをウェブブラウザ上および／またはクライアントのシステム上でＧＵＩをベースに記述する第３の手順と、出力装置に共有データの一部または全部を出力する際のレイアウトをウェブブラウザ上および／またはクライアントのシステム上でＧＵＩをベースに操作指示する第４の手順とを実行するソフトウェアを蓄積したことを特徴とする電子媒体を提供する。
上記電子媒体において、データベースを操作するための命令文とはクエリーであり、マークアップ言語とは、ＨＴＭＬ、ＤＨＴＭＬ、および／またはＸＭＬであり、スクリプトを記述するために汎用言語を用いる。
【手続補正６】
【補正対象書類名】明細書
【補正対象項目名】０００９
【補正方法】変更
【補正の内容】
【０００９】
さらに、上記データベース管理システムは、共有データを電子メールサーバ及び／又はプリントサーバ若しくはプリンタに出力する手段を具備する。
また、上記データベース管理システムは、共有データの出力フォーマットをクライアントの端末種別に応じて自動変換する手段を具備する。
また、上記データベース管理システムは、共有データに電子署名を施す手段を具備する。
また、上記データベース管理システムは、共有データを暗号化する手段を具備する。
【手続補正７】
【補正対象書類名】明細書
【補正対象項目名】００１０
【補正方法】変更
【補正の内容】
【００１０】
また、上記データベース管理方法は、電子メールサーバ及び／又はプリントサーバ若しくはプリンタに共有データを出力する段階を具備する。
また、上記データベース管理方法は、共有データの出力フォーマットをクライアントの端末種別に応じて自動変換する段階を具備する。
また、上記データベース管理方法は共有データに電子署名を施す段階を具備する。
また、上記データベース管理方法は、共有データを暗号化する段階を具備する。
【手続補正８】
【補正対象書類名】明細書
【補正対象項目名】００１１
【補正方法】変更
【補正の内容】
【００１１】
また、上記電子媒体は、共有データを電子メールサーバ及び／又はプリントサーバ若しくはプリンタに出力する手順を実行するソフトウェアを蓄積する。
また、上記電子媒体は、共有データの出力フォーマットをクライアントの端末種別に応じて自動変換する手順を実行するソフトウェアを蓄積する。
また、上記電子媒体は、共有データに電子署名を施す手順を実行するソフトウェアを蓄積する。
また、上記電子媒体は、共有データを暗号化する手順を実行するソフトウェアを蓄積する。
【手続補正９】
【補正対象書類名】明細書
【補正対象項目名】００１２
【補正方法】変更
【補正の内容】
【００１２】
さらに、本発明は、少なくとも１つのデータベースを共有データとしてネットワーク上で管理し、クライアント側および／またはサーバ側から送出されるアクセス要求に応じて共有データを更新し、共有データの出力フォーマットをクライアントの端末種別に応じて自動変換し、共有データに電子署名を施し、又は共有データを暗号化して電子メールサーバ及び／又はプリントサーバ若しくはプリンタに出力するデータベース管理システムをウェブブラウザ上またはＧＵＩアプリケーション上で統合開発するデータベース管理システムの開発システムであり、データベースを操作するための命令文をウェブブラウザ上および／またはクライアントのシステム上でＧＵＩをベースに記述する手段と、クライアントの画面に表示するためのマークアップ言語をウェブブラウザ上および／またはクライアントのシステム上でＧＵＩをベースに記述する手段と、スクリプトをウェブブラウザ上および／またはクライアントのシステム上でＧＵＩをベースに記述する手段と、電子メールサーバ及び／又はプリントサーバ若しくはプリンタに共有データの一部または全部を出力する際のレイアウトを、ウェブブラウザ上および／またはクライアントのシステム上でＧＵＩをベースに操作指示する手段とを具備する。
また、上記データベース管理システムの開発システムのデータベースを操作するための命令文とはクエリーであり、スクリプトを記述するために汎用言語を用いる。
【手続補正１０】
【補正対象書類名】明細書
【補正対象項目名】００１３
【補正方法】変更
【補正の内容】
【００１３】
さらに、本発明は、少なくとも１つのデータベースを共有データとしてネットワーク上で管理し、クライアント側および／またはサーバ側から送出されるアクセス要求に応じて共有データを更新し、共有データの出力フォーマットをクライアントの端末種別に応じて自動変換し、共有データに電子署名を施し、又は共有データを暗号化して電子メールサーバ及び／又はプリントサーバ若しくはプリンタに出力するデータベース管理システムを、ウェブブラウザ上またはＧＵＩアプリケーション上で統合開発するデータベース管理システムの開発ソフトウェアを蓄積した電子媒体であり、データベースを操作するための命令文をウェブブラウザ上および／またはクライアントのシステム上でＧＵＩをベースに記述する第１の手順と、クライアントの画面に表示するためのマークアップ言語をウェブブラウザ上および／またはクライアントのシステム上でＧＵＩをベースに記述する第２の手順と、スクリプトをウェブブラウザ上および／またはクライアントのシステム上でＧＵＩをベースに記述する第３の手順と、電子メールサーバ及び／又はプリントサーバ若しくはプリンタに共有データの一部または全部を出力する際のレイアウトを、ウェブブラウザ上および／またはクライアントのシステム上でＧＵＩをベースに操作指示する第４の手順とを実行するソフトウェアを蓄積した電子媒体を提供する。
また、上記電子媒体において、データベースを操作するための命令文とはクエリーであり、スクリプトを記述するために汎用言語を用いる。
【手続補正１１】
【補正対象書類名】明細書
【補正対象項目名】００５１
【補正方法】変更
【補正の内容】
【００５１】
ドキュメントデータサーバ（Document Data Server）２４４は端末からのリクエストで指定された記憶装置２３０に格納されたドキュメント用テンプレート（Document XML Template）を基にフォーム（Form）からのリクエストの変数、およびデータベース群２１１〜２１５のデータからドキュメントデータ（帳票データも含む）を作成する。表示するデータはデータベース、テキストファイル、<フォーム>からのインプット、および／またはスクリプトサーバ２４７で実行しているプログラム内の変数を使用できる。なお、端末にドキュメントイメージを送る前に、コンテンツ制御サーバ２４６経由または／及びURLで指定されたファイル（プログラムも含む)でドキュメント印刷時に必要なイメージを取得する。なぜならば、独自フォーマットの出力データ２８３と、ＰＤＦ形式（Adobe Systems社によって開発された電子文書のためのフォーマット）のそれとでは出力イメージが異なるからである。
なお、図２には図示していないが、ドキュメントデータサーバ２４４にはファックスサーバ（Fax Server）３０１、プリントサーバ（Internet Print Server）３０２、ドキュメントメールサーバ（Document Mail Server）３０３がＴＣＰ−ＩＰで接続されており、インターネットに接続可能な地域に配置できる。（図３参照）。
【手続補正１２】
【補正対象書類名】明細書
【補正対象項目名】００７１
【補正方法】変更
【補正の内容】
【００７１】
図３に示すように、ドキュメントデータサーバ２４４にはファックスサーバ（Fax Server）３０１、プリントサーバ（Internet Print Server）３０２、ドキュメントメールサーバ（Document Mail Server）３０３が接続されている。さらに、ファックスサーバ３０１にはファックスマシン（Fax Machine）３０１１が接続され、プリントサーバ３０２にはプリンタ（Printer）３０２１が接続され、ドキュメントメールサーバ３０３にはメールサーバ（Mail Server）３０３１が接続されている。
【手続補正１３】
【補正対象書類名】図面
【補正対象項目名】図１
【補正方法】変更
【補正の内容】
【図１】
2002014963.tif 000001
【手続補正１４】
【補正対象書類名】図面
【補正対象項目名】図３
【補正方法】変更
【補正の内容】
【図３】
2002014963.tif 000002